(57)【要約】【課題】  装置自身が発生するノイズでディジタル放送受信に支障を来すのを極力防止することができる可搬型ディジタル放送受信装置を提供する。【解決手段】  ＣＰＵ１３は、当該放送受信装置の全体制御を行う他、チューナモジュール２から受け取ったエラーレートに基づいてディジタル放送波の受信品質を判断する処理、前記受信品質が所定閾値に達したときに装置内で発生しているノイズの低減（抑制）に寄与する一つ又は複数の措置を実行する処理、前記措置を停止する条件が満たされたときに前記措置を停止する処理を行う。【選択図】          図１
2007124096.tif 000002
【特許請求の範囲】
【請求項１】
ディジタル放送波を受信してトランスポートストリームを出力するチューナ部と、前記トランスポートストリームを分離してデコードを行うことにより音声データ及び映像データを生成するデコーダ部と、前記音声データに基づいて音声出力を行う音声出力部と、前記映像データに基づいて描画データを作成する描画データ生成部と、描画データを受け取って画像表示を行う表示部と、を備えた可搬型ディジタル放送受信装置において、
前記ディジタル放送波の受信品質を示す品質信号を出力する手段と、前記品質信号が所定閾値に達したときに装置内で発生しているノイズの抑制に寄与する一つ又は複数の措置を実行する一方、前記措置を停止する条件が満たされたときに前記措置を停止するノイズ抑制手段と、を備えたことを特徴とする可搬型ディジタル放送受信装置。
【請求項２】
請求項１に記載の可搬型ディジタル放送受信装置において、前記ノイズ抑制手段は、前記所定閾値よりも受信品質が高い側に設定された他の閾値に前記品質信号が達したときに前記措置を停止する条件が満たされたとして前記措置を停止することを特徴とする可搬型ディジタル放送受信装置。
【請求項３】
請求項１又は請求項２に記載の可搬型ディジタル放送受信装置において、前記所定閾値として複数の閾値が設定されており、前記ノイズ抑制手段は、ノイズの抑制に寄与する措置として複数の措置を選択することができ且つ前記閾値に応じて実行する措置の選択数を段階的に変更することを特徴とする可搬型ディジタル放送受信装置。
【請求項４】
請求項１乃至請求項３のいずれかに記載の可搬型ディジタル放送受信装置において、前記ノイズ抑制手段は、ディジタル放送の受信開始時にも前記措置を暫定的に実行し、前記措置を停止する条件が満たされていると判断したとき前記措置を停止することを特徴とする可搬型ディジタル放送受信装置。
【請求項５】
請求項１乃至請求項４のいずれかに記載の可搬型ディジタル放送受信装置において、前記ノイズ抑制手段は、前記措置として又は前記措置の一つとして、前記デコーダ部における前記映像データ生成のためのデコードを停止させることを特徴とする可搬型ディジタル放送受信装置。
【請求項６】
請求項１乃至請求項４のいずれかに記載の可搬型ディジタル放送受信装置において、前記ノイズ抑制手段は、前記措置として又は前記措置の一つとして、前記デコーダ部における前記音声データ生成のためのデコードを停止させることを特徴とする可搬型ディジタル放送受信装置。
【請求項７】
請求項１乃至請求項４のいずれかに記載の可搬型ディジタル放送受信装置において、前記ノイズ抑制手段は、前記措置として又は前記措置の一つとして、前記デコーダ部における前記映像データ及び音声データ生成のための両デコードを停止させることを特徴とする可搬型ディジタル放送受信装置。
【請求項８】
請求項１乃至請求項４のいずれかに記載の可搬型ディジタル放送受信装置において、前記ノイズ抑制手段は、前記措置として又は前記措置の一つとして、前記描画データを前記表示部に供給する処理を停止するか又は描画データの供給を間欠的に行うことを特徴とする可搬型ディジタル放送受信装置。
【請求項９】
請求項１乃至請求項４のいずれかに記載の可搬型ディジタル放送受信装置において、前記ノイズ抑制手段は、前記措置として又は前記措置の一つとして、前記表示部の照明停止又は輝度低減となる電力供給制御を実行させることを特徴とする可搬型ディジタル放送受信装置。
【請求項１０】
請求項１乃至請求項４のいずれかに記載の可搬型ディジタル放送受信装置において、受信したデータ放送のデコードを行って画像を前記表示部に表示させる手段を備えており、前記ノイズ抑制手段は、前記措置として又は前記措置の一つとして、前記データ放送のデコードを停止させるか、又はデータ放送データの更新に伴うデコードを毎回実行するのではなく一つ又は複数の更新をスキップすることを特徴とする可搬型ディジタル放送受信装置。
【請求項１１】
請求項１乃至請求項４のいずれかに記載の可搬型ディジタル放送受信装置において、受信したデータ放送の画像を生成して前記表示部に表示させる手段を備えており、前記ノイズ抑制手段は、前記措置として又は前記措置の一つとして、前記ディジタル放送波の受信による映像出力と音声出力とデータ放送出力のうち二つを停止させて残り一つを実行するか、又は一つを停止させて残りの二つを実行することを特徴とする可搬型ディジタル放送受信装置。
【請求項１２】
請求項１乃至請求項４のいずれかに記載の可搬型ディジタル放送受信装置において、通信手段を備えており、前記ノイズ抑制手段は、前記措置として又は前記措置の一つとして、前記通信手段の動作を停止させることを特徴とする可搬型ディジタル放送受信装置。
【請求項１３】
請求項１乃至請求項４のいずれかに記載の可搬型ディジタル放送受信装置において、定期的に通信を用いて情報を取得する通信ネットワーク接続手段を備えており、前記ノイズ抑制手段は、前記措置として又は前記措置の一つとして、前記定期的に通信を用いて情報を取得する動作を停止させることを特徴とする可搬型ディジタル放送受信装置。
【請求項１４】
請求項１乃至請求項４のいずれかに記載の可搬型ディジタル放送受信装置において、携帯電話手段を備えており、前記ノイズ抑制手段は、前記措置として又は前記措置の一つとして、前記携帯電話手段における基地局登録処理を停止させることを特徴とする可搬型ディジタル放送受信装置。
【請求項１５】
請求項１乃至請求項４のいずれかに記載の可搬型ディジタル放送受信装置において、前記ノイズ抑制手段は、前記措置として又は前記措置の一つとして、ＣＰＵの動作クロックを下げることを特徴とする可搬型ディジタル放送受信装置。
【請求項１６】
請求項１乃至請求項１５のいずれかに記載の可搬型ディジタル放送受信装置において、前記ディジタル放送波の受信品質を示す品質信号を出力する手段に代えて、前記チューナ部でのデータ誤り訂正が不能なためにパケット再生ができなかったことを示すアンロック情報を前記ノイズ抑制手段に与える手段を備え、前記ノイズ抑制手段は前記品質信号が所定閾値に達したときに実行するノイズ抑制処理を、前記アンロック情報を受け取ったときに実行することを特徴とする可搬型ディジタル放送受信装置。
【発明の詳細な説明】
【技術分野】
【０００１】
この発明は、ディジタル放送を受信できる可搬型ディジタル放送受信装置に関する。
【背景技術】
【０００２】
地上波を用いたディジタル放送を受信するディジタル放送受信装置は、地上波用アンテナを通して受け取った複数の放送波のなかから任意の放送波をチューナによって選択し、この選択したチャンネルのディジタル信号を取り出して映像や音声データなどをデマルチプレクスし、これをデコードすることによって映像及び音声信号などを出力する。
【０００３】
そして、近年においては、例えば携帯電話機能等とともに上記ディジタル放送受信機能を搭載する可搬型ディジタル放送受信装置が提案されている（特許文献１参照）。
【特許文献１】特開２００４−１２００８５号公報
【発明の開示】
【発明が解決しようとする課題】
【０００４】
しかしながら、可搬型ディジタル放送受信装置が搭載できる地上波アンテナは小型である必要があり、十分な電波受信能力を担保できない。従って、電波受信環境が悪くなり当該装置が発生する各種ノイズの影響を受けやすくなると放送受信に支障をきたすことがある。放送波の受信状態が悪くてチューナがアンロックするとロック状態に戻るまでに比較的時間がかかるため、アンロックとなるのを極力回避することが望ましい。
【０００５】
この発明は、上記の事情に鑑み、装置自身が発生するノイズでディジタル放送受信に支障を来すのを極力防止することができる可搬型ディジタル放送受信装置を提供することを目的とする。
【課題を解決するための手段】
【０００６】
この発明の可搬型ディジタル放送受信は、上記の課題を解決するために、ディジタル放送波を受信してトランスポートストリームを出力するチューナ部と、前記トランスポートストリームを分離してデコードを行うことにより音声データ及び映像データを生成するデコーダ部と、前記音声データに基づいて音声出力を行う音声出力部と、前記映像データに基づいて描画データを作成する描画データ生成部と、描画データを受け取って画像表示を行う表示部と、を備えた可搬型ディジタル放送受信装置において、前記ディジタル放送波の受信品質を示す品質信号を出力する手段と、前記品質信号が所定閾値に達したときに装置内で発生しているノイズの抑制に寄与する一つ又は複数の措置を実行する一方、前記措置を停止する条件が満たされたときに前記措置を停止するノイズ抑制手段と、を備えたことを特徴とする（以下、この項において第１構成という）。
【０００７】
上記第１構成であれば、前記品質信号が所定閾値に達したときに装置内で発生しているノイズの抑制に寄与する一つ又は複数の措置を実行するので、アンロックに至るのを極力回避する（ロック状態をできるだけ長く保つ）ことができるとともに、アンロックの状態からの脱却も早くなる。
【０００８】
上記第１構成の可搬型ディジタル放送受装置において、前記ノイズ抑制手段は、前記所定閾値よりも受信品質が高い側に設定された他の閾値に前記品質信号が達したときに前記措置を停止する条件が満たされたとして前記措置を停止することとしてもよい（以下、この項において第２構成という）。
【０００９】
これら第１構成又は第２構成の可搬型ディジタル放送受装置において、前記所定閾値として複数の閾値が設定されており、前記ノイズ抑制手段は、ノイズの抑制に寄与する措置として複数の措置を選択することができ且つ前記閾値に応じて実行する措置の選択数を段階的に変更することとしてもよい（以下、この項において第３構成という）。
【００１０】
これら第１構成乃至第３構成のいずれかの可搬型ディジタル放送受装置において、前記ノイズ抑制手段は、ディジタル放送の受信開始時にも前記措置を暫定的に実行し、前記措置を停止する条件が満たされていると判断したとき前記措置を停止することとしてもよい（以下、この項において第４構成という）。
【００１１】
これら第１構成乃至第４構成のいずれかの可搬型ディジタル放送受装置において、前記ノイズ抑制手段は、前記ノイズ抑制手段は、前記措置として又は前記措置の一つとして、前記デコーダ部における前記映像データ生成のためのデコードを停止させてもよい。或いは、前記ノイズ抑制手段は、前記措置として又は前記措置の一つとして、前記デコーダ部における前記音声データ生成のためのデコードを停止させてもよい。或いは、前記ノイズ抑制手段は、前記措置として又は前記措置の一つとして、前記デコーダ部における前記映像データ及び音声データ生成のための両デコードを停止させてもよい。或いは、前記ノイズ抑制手段は、前記措置として又は前記措置の一つとして、前記描画データを前記表示部に供給する処理を停止するか又は描画データの供給を間欠的に行うこととしてもよい。或いは、前記ノイズ抑制手段は、前記措置として又は前記措置の一つとして、前記表示部の照明停止又は輝度低減となる電力供給制御を実行させることとしてもよい。
【００１２】
これら第１構成乃至第４構成のいずれかの可搬型ディジタル放送受装置において、受信したデータ放送のデコードを行って画像を前記表示部に表示させる手段を備えており、前記ノイズ抑制手段は、前記措置として又は前記措置の一つとして、前記データ放送のデコードを停止させるか、又はデータ放送データの更新に伴うデコードを毎回実行するのではなく一つ又は複数の更新をスキップすることとしてもよい。
【００１３】
これら第１構成乃至第４構成のいずれかの可搬型ディジタル放送受装置において、受信したデータ放送の画像を生成して前記表示部に表示させる手段を備えており、前記ノイズ抑制手段は、前記措置として又は前記措置の一つとして、前記ディジタル放送波の受信による映像出力と音声出力とデータ放送出力のうち二つを停止させて残り一つを実行するか、又は一つを停止させて残りの二つを実行することとしてもよい。
【００１４】
これら第１構成乃至第４構成のいずれかの可搬型ディジタル放送受装置において、通信手段を備えており、前記ノイズ抑制手段は、前記措置として又は前記措置の一つとして、前記通信手段の動作を停止させることとしてもよい。
【００１５】
これら第１構成乃至第４構成のいずれかの可搬型ディジタル放送受装置において、定期的に通信を用いて情報を取得する通信ネットワーク接続手段を備えており、前記ノイズ抑制手段は、前記措置として又は前記措置の一つとして、前記定期的に通信を用いて情報を取得する動作を停止させることとしてもよい。
【００１６】
これら第１構成乃至第４構成のいずれかの可搬型ディジタル放送受装置において、携帯電話手段を備えており、前記ノイズ抑制手段は、前記措置として又は前記措置の一つとして、前記携帯電話手段における基地局登録処理を停止させることとしてもよい。
【００１７】
これら第１構成乃至第４構成のいずれかの可搬型ディジタル放送受装置において、前記ノイズ抑制手段は、前記措置として又は前記措置の一つとして、ＣＰＵの動作クロックを下げることとしてもよい。
【００１８】
これら構成の可搬型ディジタル放送受装置において、前記ディジタル放送波の受信品質を示す品質信号を出力する手段に代えて、前記チューナ部でのデータ誤り訂正が不能なためにパケット再生ができなかったことを示すアンロック情報を前記ノイズ抑制手段に与える手段を備え、前記ノイズ抑制手段は前記品質信号が所定閾値に達したときに実行するノイズ抑制処理を、前記アンロック情報を受け取ったときに実行することとしてもよい。かかる構成であれば、前記ノイズ抑制手段は前記品質信号が所定閾値に達したときに実行するノイズ抑制処理を、前記アンロック情報を受け取ったときに実行するから、アンロックの状態からの脱却が早くなる。
【発明の効果】
【００１９】
この発明によれば、装置自身が発生するノイズでディジタル放送受信に支障を来すのを極力防止することができるという効果を奏する。
【発明を実施するための最良の形態】
【００２０】
以下、この発明の実施形態の可搬型ディジタル放送受信装置を図１乃至図５に基づいて説明する。
【００２１】
図１において、アンテナ１は、地上放送局から送られてくる地上ディジタル放送波を受信する。
【００２２】
チューナモジュール２は、映像音声データを含む高周波ディジタル変調信号のうちから特定周波数の信号を取り出す。また、チューナモジュール２は、復調回路、逆インタリーブ回路、誤り訂正回路などを備えることにより、選択したディジタル変調信号を復調してトランスポート・ストリームを出力する。また、チューナモジュール２は、ディジタル放送波の受信品質を示す品質信号をＣＰＵ１３に出力する。この品質信号としては、受信電界強度、Ｃ／Ｎ比、エラーレートなどがあるが、この実施形態ではエラーレートを品質信号としてＣＰＵ１３に与える。
【００２３】
ＴＳデコーダ３は、前記トランスポートストリームを、例えば、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。ＴＳデコーダ３は、ビデオストリームをビデオデコーダ４Ａに供給し、オーディオストリームをオーディオデコーダ４Ｂに供給し、データ放送データをデータデコーダ４Ｃに供給する。
【００２４】
前記ビデオデコーダ４Ａは、入力された可変長符号を復号して量子化係数や動きベクトルを求め、逆ＤＣＴ変換や動きベクトルに基づく動き補償制御等を行って映像データを生成する。オーディオデコーダ４Ｂは、入力された符号化信号を復号して音声データを生成する。データデコーダ４Ｃはデータ放送データ（ＢＭＬファイル、字幕データ等）を復号してデータ表示データを生成する。映像データ及びデータ表示データはグラフィック制御部５に出力され、音声データはＤ／Ａコンバータ６に出力される。
【００２５】
前記グラフィック制御部５は、受け取った映像データ及びデータ表示データに基づいて描画データを生成する。更に、グラフィック制御部５はＯＳＤ（オンスクリーンディスプレイ）機能を有し、ＣＰＵ１３から出力指示された文字情報や色情報に基づく映像を前記描画データに合成する。Ｄ／Ａコンバータ６は、受け取った音声データをＤ／Ａ変換して音声信号を出力する。音声信号はスピーカ８に供給される。描画データは表示デバイス（例えば、液晶表示パネルやＥＬ表示素子等及びそれらのドライバから成る）に供給される。
【００２６】
メモリ（ＲＡＭ、ＥＥＰＲＯＭ、フラッシュメモリ、ＲＯＭ等）１４には、当該可搬型ディジタル放送受信装置を機能させるための制御プログラムやユーザにより設定されたユーザ設定情報などが格納される。
【００２７】
入力デバイスは１５は、ユーザの操作情報をＣＰＵ１３に与える。また、この可搬型ディジタル放送受信装置には通信デバイス１６が設けられている。通信デバイス１６は当該放送受信装置を携帯電話として用いるときの機能であり、通常の通話機能の他、インターネット接続機能も備えている。そして、このインターネット接続機能を用い、所定のユーザ設定の下では、ディジタル放送受信時に定期的に所定のサイトに接続して例えばＣＭ（コマーシャル）情報を取得することもできる。
【００２８】
ＣＰＵ１３は、当該放送受信装置の全体制御を行う他、この発明にかかる処理として、前記チューナモジュール２から受け取ったエラーレートに基づいてディジタル放送波の受信品質を判断する処理、前記受信品質が所定閾値に達したときに装置内で発生しているノイズの低減（抑制）に寄与する一つ又は複数の措置を実行する処理、前記措置を停止する条件が満たされたときに前記措置を停止する処理を行う。
【００２９】
図２の上段側には、前記受信品質（この受信品質は天候やビル陰などの受信地条件による他、装置自身が発生するノイズにより変化する）を曲線で示している。実線曲線はノイズ低減処理を行った場合を示しており、点線曲線はノイズ低減処理を行っていない場合を示している。そして、図２の中段側にはノイズ低減処理を行っていない場合の映像音声出力状態を示しており、図２の下段側にはノイズ低減処理を行った場合の映像音声出力状態を示している。なお、ノイズ低減処理とは、ノイズの低減（抑制）に寄与する一つ又は複数の措置をいう。
【００３０】
また、上記図２は、ノイズ低減処理開始の判断値である低減閾値として、第１の低減閾値♯１と第２の低減閾値♯２とを設定している。第２の低減閾値♯２は第１の低減閾値♯１よりも受信品質が悪い側に設定されている。また、ノイズ低減処理終了の判断値である解除閾値は第１の低減閾値♯１よりも受信品質が良い側に設定されている。勿論、第１の低減閾値♯１及び第２の低減閾値♯２はアンロックレベルよりも高い側（受信品質が良い側）に設定される。ここで、ＣＰＵ１３は、受信品質が第１の低減閾値♯１を下回ると、ノイズの低減（抑制）に寄与する一つ又は複数の措置を実行し、受信品質が第２の低減閾値♯１を下回ると、上記措置に加えて更にノイズの低減（抑制）に寄与する一つ又は複数の措置を実行することとしている。
【００３１】
受信品質が悪くなってチューナモジュール２においてアンロックが生じると、映像音声を出力することが不能になる。なお、アンロックとは、前記チューナモジュール２でのデータ誤り訂正が不能なためにパケット再生ができない状態をいう。
【００３２】
上記構成においてノイズ低減処理が行われる場合には、受信品質が第１の低減閾値♯１を下回ると、ノイズの低減（抑制）に寄与する一つ又は複数の措置が実行され（例えば、映像出力のみ停止して音声出力だけが行われる）、これによってノイズの発生が抑制されるので、受信品質がアンロックレベルに至るのを回避しうる。また、受信品質が第２の低減閾値♯２を下回ると、更にノイズの低減（抑制）に寄与する一つ又は複数の措置が実行され（例えば、映像出力と音声出力の両方が停止される）、これによってノイズの発生が更に抑制され、受信品質がアンロックレベルに至るのを回避しうる。そして、たとえアンロックが生じてもノイズの発生が抑制されているのであるから、このアンロックからの脱却はノイズ低減処理を行っていない場合に比べて早くなる。すなわち、上記のノイズ低減処理によって、アンロックに至るのを極力回避する（ロック状態をできるだけ長く保つ）ことができるとともに、アンロックになったとしてもこの状態からの脱却が早くなる。
【００３３】
［ノイズ低減処理の具体例］
（１）ＣＰＵ１３は、ノイズ低減処理として、前記ビデオデコーダ４Ａにおける映像データ生成のためのデコードを停止させる。
【００３４】
（２）ＣＰＵ１３は、ノイズ低減処理として、前記オーディオデコーダ４Ｂにおける音声データ生成のためのデコードを停止させる。音声デコードを専用のハードウェアではなく、ＣＰＵ１３が行い、このＣＰＵ１３の動作で発生するノイズが受信品質を低下させる場合には、映像デコードを停止するのではなく、音声デコードを停止する方が効果的である。音声デコードを停止するときには図示しないスピーカアンプへの電力供給も停止してもよい。
【００３５】
（３）ＣＰＵ１３は、ノイズ低減処理として、前記ビデオデコーダ４Ａにおける映像データ生成のためのデコードと、前記オーディオデコーダ４Ｂにおける音声データ生成のためのデコードの両方を停止させる。なお、このとき、ＯＳＤ機能を用いて「只今、ロック状態を極力保持するために映像音声の出力を停止しています」といった趣旨のメッセージを表示デバイス７において表示してもよい。先述の（１）の処理においても同様である。
【００３６】
（４）ＣＰＵ１３は、ノイズ低減処理として、描画データを表示デバイス７に供給する処理を停止する。或いは、描画データの供給を間欠的に（所定時間間隔で）行う。例えば、ビデオデコードによって得られた映像データはメモリ１４内のＶＲＡＭ一旦に書き込まれる。そして、このＶＲＡＭに書き込まれた映像データはグラフィック制御部５の処理によって表示デバイス７のＶＲＡＭに転送される。この転送を停止してもよいし、転送速度を例えば１５ｆｐｓ（毎秒あたりのフレーム数）から５ｆｐｓ或いは１ｆｐｓなどに制限することとしてもよい。また、低減閾値♯１では５ｆｐｓ、低減閾値♯２では１ｆｐｓとするなど、受信品質に応じて描画データの供給間隔を異ならせるようにしてもよい。
【００３７】
（５）ＣＰＵ１３は、ノイズ低減処理として、前記表示デバイス７の照明停止又は輝度低減となる電力供給制御を実行する。例えば、表示デバイス７がバックライトやフロントライトなどを備えており、このライトへの電力供給がノイズ発生源となる場合がある。また、表示デバイス７が自発光型であれば、表示デバイス７自体への電力供給がノイズ発生源となる場合がある。具体的には、スイッチング電源などで昇圧を行う構成では、スイッチング電源がノイズ発生源となる。スイッチング電源の動作停止（照明停止（自発光型の発光停止を含む））や電圧低下（輝度低減）によってノイズを抑制することができる。表示デバイス７において照明停止が行われるときには、映像デコードを行わないとする措置及び／又は描画データの転送を行わないとする措置を同時に採用してもよい。
【００３８】
（６）ＣＰＵ１３は、ノイズ低減処理として、データデコーダ４Ｃが行っているデコードを停止させるか、又はデータ放送データの更新に伴うデコードを毎回実行するのではなく一つ又は複数の更新をスキップさせる。データ放送コンテンツは、データカルーセル方式によって伝送され、映像音声などのストリーム型の伝送方式とは異なり、同一データを一定期間繰り返し送ることにより、受信機が任意のタイミングでデータを取得することを可能にしている。ここで、繰り返し伝送されるデータの集合をデータカルーセルと呼び、各々のデータをモジュールと呼ぶ。データカルーセルは、ＤＩＩ（Ｄｏｗｎｌｏａｄ  Ｉｎｆｏ  Ｉｎｄｉｃａｔｉｏｎ）及びＤＤＢ（Ｄｏｗｎｌｏａｄ  Ｄａｔｅ  Ｂｌｏｃｋ）の２種類から構成される。コンポーネントは、前記ＤＩＩと呼ばれるディレクトリ情報と、データの実体となる複数のモジュールを伝送する。これらのデータは繰り返し伝送される。データ放送の提示に必要とされるモジュールは、受信装置内の図示しないコンテンツバッファに格納され、不要となったモジュールはコンテンツバッファから削除される。ＤＩＩは、データカルーセルに含まれるモジュールの総数が変化した場合や、少なくとも１つのモジュールが更新された場合、およびローカルコンテンツが切り替わった場合に更新される。ＤＩＩのバージョンを識別するために、ＤＩＩはトランザクション識別（ｔｒａｎｓａｃｔｉｏｎ＿ｉｄ）を含み、ＤＩＩの内容に変化があった場合は、ｔｒａｎｓａｃｔｉｏｎ＿ｉｄが更新（１インクリメント）される。また、モジュールのバージョンが変化した場合は、それ以前に伝送されていたモジュールは不要となり、新バージョンのモジュールを受信することとなる。また、ＤＩＩは、データイベント識別（ｄａｔａ＿ｅｖｅｎｔ＿ｉｄ）を含む。データカルーセルで伝送されるコンテンツは時間的に更新されることがある。この或る一定時間で伝送される意味のあるひとかたまりのコンテンツをローカルコンテンツと呼ぶ。ローカルコンテンツが切り替わった場合、切り替え前に伝送されていた全てのモジュールは不要となる。データイベント識別（ｄａｔａ＿ｅｖｅｎｔ＿ｉｄ）はローカルコンテンツを識別し、ローカルコンテンツが切り替わる際に更新される。ＣＰＵ１３はＤＩＩを監視することにより、どのモジュールが現在伝送されているかを知るとともに、モジュールの更新を認識することができるため、受信装置内のコンテンツバッファを常に最新の状態にしておくことができる。ＣＰＵ１３は、ノイズ低減処理として、前記モジュールの更新を認識したときにデコードを毎回実行するのではなく一つ又は複数の更新をスキップさせる。また、例えば、ＣＰＵ１３がデータデコーダ４Ｃに対してデコード許可信号とデコード停止信号とを所定時間間隔（例えば２秒間隔）で交互に与えることで、前記更新がスキップされることが生じる。また、このように所定時間間隔でデコード許可と停止を行う場合において、データデコーダ４Ｃで字幕データの生成を行っている場合には、或る場面で表示されるべき字幕の描画（字幕の更新）がスキップされることが生じる。
【００３９】
（７）ＣＰＵ１３は、この実施形態のディジタル放送受信装置のごとく、映像と音声とデータ放送の提示が行える機器構成において、ノイズ低減処理として、映像出力と音声出力とデータ放送出力のうち二つを停止させて残り一つを実行するか、又は一つを停止させて残りの二つを実行する。これら出力の停止はこれら出力に必要な処理の全てに限るものではなく、ノイズを発生させる処理のみ停止させることを含む。
【００４０】
（８）ＣＰＵ１３は、この実施形態のディジタル放送受信装置のごとく、通信デバイス１６を備える機器構成において、前記通信デバイス１６の動作を停止させる。なお、放送受信ができないときにネットワーク接続を行って受信番組に関連する情報を提供するサイトに接続して当該番組に関連する情報をユーザ提示できるようにしておく方が望ましいと考えられる場合もあるので、前記通信デバイス１６におけるネットワーク接続の動作停止をノイズ低減処理として採用しないことをユーザ設定で可能とするようにしてもよい。
【００４１】
（９）ＣＰＵ１３は、この実施形態のディジタル放送受信装置のごとく、通信デバイス１６を用いて定期的に通信を行って情報（先述したＣＭ情報等）を取得する機器構成において、前記定期的に通信を用いて情報を取得する動作を停止させる。
【００４２】
（１０）ＣＰＵ１３は、この実施形態のディジタル放送受信装置のごとく、携帯電話として機能する通信デバイス１６を有する機器構成において、前記携帯電話における基地局登録処理（情報発信処理）を停止させる。
【００４３】
（１１）ＣＰＵ１３は、自身の動作クロックを下げる。この動作クロックを低下させる処理は、上述した各種の動作制限によってＣＰＵ１３の処理負担が軽減されるときに実行するのが望ましい。
【００４４】
図３はノイズ低減に関するＣＰＵ１３の基本処理内容を示したフローチャートである。まず、エラーレートに基づいて受信放送波の受信品質を判断する（ステップＳ１）。次ぎに、受信品質が低減閾値♯１以下かどうかを判断する（ステップＳ２）。受信品質が低減閾値♯１以下のときにはノイズ低減処理を実行する（ステップＳ３）。受信品質が低減閾値♯１以下でないときには、受信品質が解除閾値以上かどうかを判断する（ステップＳ４）。受信品質が解除閾値以上であるときには、実行しているノイズ低減があればその解除（措置の停止）を行う（ステップＳ５）。
【００４５】
図４は図２に示したごとく低減閾値♯２を設定している場合の前記ノイズ低減処理（ステップＳ３）の詳細を例示したフローチャートである。例えば、第１弾のノイズ低減処理として先述した（４）の描画データ転送制限を行う（ステップＳ３１）。そして、受信品質が低減閾値♯２以下かどうかを判断する（ステップＳ３２）。受信品質が低減閾値♯２以下のときには第２弾のノイズ低減処理として例えば先述した（１）の映像デコード停止と（５）の照明ＯＦＦ処理などを実行する（ステップＳ３３）。
【００４６】
図５は低減閾値♯２を設定していない場合の前記ノイズ低減処理（ステップＳ３）の詳細を例示したフローチャートである。ノイズ低減処理として例えば先述した（４）の描画データ転送制限と（１）の映像デコード停止と（６）のデータ放送データのデコード停止と（１１）のＣＰＵクロック下げの処理を一気に行う（ステップＳ３３）。
【００４７】
なお、上記実施形態では、受信品質に基づいてノイズ低減処理を実行したが、これに限らず、アンロックになった場合に上述したノイズ低減処理を実行してもよい。このような処理を行う場合には、アンロックに至るのを極力回避する（ロック状態をできるだけ長く保つ）ことができるという上記実施形態の利点は得られないが、アンロックの状態からの脱却が早くなるという利点は得られることになる。また、上記実施形態では、携帯電話機能付きの可搬型ディジタル放送受信装置を示したが、これに限らず、ＧＰＳ（グローバル・ポジショニング・システム）などによるナビゲーション機能付きの可搬型ディジタル放送受信装置とすることもできる。また、ＣＰＵ１３は、ディジタル放送の受信開始時に前記措置（先述の処理（１）乃至（１１）参照）を暫定的に実行し、前記措置を停止する条件（例えば、図２の受信品質が解除閾値より上とする条件）が満たされていると判断したとき前記措置を停止することとしてもよい。また、上記実施形態では、エラーレートに基づいて受信品質を判断したが、これに限るものではなく、受信状態を示す他の情報（信号）を用いてもよいし、また、複数の情報（信号）によって受信品質を判断してもよい。また、解除閾値は第１の低減閾値♯１よりも受信品質が良い側に設定したが、解除閾値と第１の低減閾値♯１とを同じレベルに設定し、品質信号が第１の低減閾値♯１以下になるとノイズ低減処理を開始し、品質信号が第１の低減閾値♯１を上回るとノイズ低減処理を停止してもよい（この場合において、品質信号が第１の低減閾値♯１を上回った状態が所定期間維持されたときにノイズ低減処理を停止することとしてもよい）また、この場合また、低減閾値を２段階に設定することに限らず、３段階に設定してもよい。
【図面の簡単な説明】
【００４８】
【図１】この発明の実施形態のディジタル放送受信装置を示したブロック図である。
【図２】この発明の実施形態を示す図であって、受信品質悪化時のノイズ低減処理及び当該処理により受信品質が幾分改善されることを示すとともに比較例としてノイズ低減処理を行わない場合も示した説明図である。
【図３】この発明の実施形態の処理内容を示したフローチャートである。
【図４】この発明の実施形態の処理内容を示したフローチャートである。
【図５】この発明の実施形態の処理内容を示したフローチャートである。
【符号の説明】
【００４９】
２      チューナモジュール
３      ＴＳデコーダ
４Ａ    ビデオデコーダ
４Ｂ    オーディオデコーダ
４Ｃ    データ放送デコーダ
１３    ＣＰＵ
１４    メモリ
【図１】
2007124096.tif 000003
【図２】
2007124096.tif 000004
【図３】
2007124096.tif 000005
【図４】
2007124096.tif 000006
【図５】
2007124096.tif 000007